(57)【要約】      （修正有）【課題】接続に用いるパッキンを安定した状態で、且つワンタッチで、フレキシブル管に係止させることができるパッキン係止具、およびそれを用いるフレキシブル管を提供する。【解決手段】パッキン係止具３は、フレキシブル管１の端部１１を他の配管材と気密状態で接続するために用いるパッキン２を、フレキシブル１管に係止させるためのパッキン係止具３であって、弾性変形させることによってフレキシブル管１の一部に嵌め込み、弾性復元力によってフレキシブル管１の一部に係止されるように構成された弾性係止部（パッキン係止部）と、弾性係止部に連続して形成され、少なくとも１枚のパッキンを保持し得るように構成されたパッキン保持部（連結部）とを備えている。【選択図】図１
0003189950.tif 000002
【実用新案登録請求の範囲】
【請求項１】
フレキシブル管の端部を他の配管材と気密状態で接続するために用いるパッキンを、前記フレキシブル管に係止させるためのパッキン係止具であって、
弾性変形させられることによってフレキシブル管の一部に嵌め込まれ、弾性復元力を発揮することで前記フレキシブル管の一部に係止するように構成される弾性係止部と、
前記弾性係止部に連続して形成され、少なくとも１枚のパッキンを保持し得るように構成されたパッキン保持部とを備えることを特徴とするパッキン係止具。
【請求項２】
一対の湾曲片と、前記一対の湾曲片の基端部間を連結する連結片とによって、略Ｃ字状、もしくは、略Ｕ字状に形成され、
前記一対の湾曲片は前記弾性係止部を構成し、対向面が前記フレキシブル管の谷の部分に外周から嵌り込んで係止し、
前記連結片は、前記パッキン保持部を構成し、環状のパッキン内に挿通して該パッキンを保持することを特徴とする請求項１記載のパッキン係止具。
【請求項３】
一対の把持片と、前記一対の把持片の基端部間を連結する連結片とによって、略Ｕ字状、もしくは、略Ｊ字状に形成され、
前記一対の把持片は前記弾性係止部を構成し、その先端部に内方に突出した係止爪をそれぞれ有し、前記フレキシブル管の端部に装着された袋ナットの内外周の両側から各把持片がそれぞれ挿入され、前記係止爪が前記フレキシブル管の凹凸または袋ナットの後端部に係止し、
前記連結片は、前記パッキン保持部を構成し、環状のパッキン内に挿通して、前記袋ナットの前端側で該パッキンを保持することを特徴とする請求項１記載のパッキン係止具。
【請求項４】
一対の差し込み片と、前記一対の差し込み片の基端部間を連結する連結片とによって、略Ｕ字状に形成され、
前記一対の差し込み片は、その先端部に外方に突出した係止爪をそれぞれ有し、基端部には前記連結片とは反対側の外方に突出したパッキン押えをそれぞれ有して前記弾性係止部およびパッキン保持部を構成し、
前記パッキンは、前記フレキシブル管の端部に設けられる袋ナット内に収容され、
前記一対の差し込み片は、その先端から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする請求項１記載のパッキン係止具。
【請求項５】
一対の係止片と、前記一対の係止片の基端部間を連結する連結片とによって、略Ｕ字状に形成され、
前記一対の係止片は、その先端部側に外方に突出したパッキン押えをそれぞれ有し、基端部には前記連結片とは反対側の外方に突出した係止爪をそれぞれ有して前記弾性係止部およびパッキン保持部を構成し、
前記パッキンは前記フレキシブル管の端部に設けられる袋ナット内に収容され、
前記一対の係止片は、その基端部から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする請求項１記載のパッキン係止具。
【請求項６】
前記パッキン押えは、前記一対の係止片の先端部から所定距離だけ後退した位置から外方に突出形成されることで、前記先端部との間で段部を構成し、
前記一対の係止片の段部に工具を係止して相互に近接変位させることで、該係止片を撓ませ、パッキン保持部およびパッキンの取り外しを可能にすることを特徴とする請求項５記載のパッキン係止具。
【請求項７】
相互に平行な一対の係止片と、前記一対の係止片の基端部間を連結する略Ｖ字状の連結片とを備え、
前記一対の係止片は、その先端部側に外方に突出したパッキン押えをそれぞれ有し、基端部には前記連結片とは反対側の外方に突出した係止爪をそれぞれ有して前記パッキン保持部を構成し、
前記連結片は前記弾性係止部を構成し、
前記パッキンは前記フレキシブル管の端部に設けられる袋ナット内に収容され、
前記連結片および一対の係止片は、その基端部から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする請求項１記載のパッキン係止具。
【請求項８】
前記請求項１〜７の何れか１項に記載のパッキン係止具によって、少なくとも１枚のパッキンが係止されていることを特徴とするフレキシブル管。
【請求項９】
端部に袋ナットが装着されたフレキシブル管を、他の配管材と接続する際に使用するパッキンを、前記フレキシブル管に係止させるパッキン係止方法において、
略Ｃ字状、もしくは、略Ｕ字状のパッキン係止具を用いて、環状の前記パッキンを該パッキン係止具に挿通させ、
前記パッキンを挿通させた前記パッキン係止具を弾性変形させて、前記フレキシブル管の一部分に外側から嵌めて、弾性復元力によって前記フレキシブル管の一部を挟み込んだ状態で、前記パッキンを挿通させた状態の前記パッキン係止具を前記フレキシブル管に係止させることを特徴とするパッキン係止方法。
【請求項１０】
前記パッキン係止具として、一対の湾曲片と、前記一対の湾曲片の基端部間を連結する連結片とによって、前記略Ｃ字状、もしくは、略Ｕ字状に形成された弾性部材から成るパッキン係止具を用い、
前記一対の湾曲片の対向面が、前記フレキシブル管の谷の部分に外周から嵌り込んで係止することを特徴とする請求項９に記載のパッキン係止方法。
【請求項１１】
端部に袋ナットが装着されたフレキシブル管を、他の配管材と接続する際に使用するパッキンを、前記フレキシブル管に係止させるパッキン係止方法において、
一対の差し込み片と、前記一対の差し込み片の基端部間を連結する連結片とによって略Ｕ字状に形成され、前記一対の差し込み片は、その先端部に外方に突出した係止爪をそれぞれ有し、基端部には前記連結片とは反対側の外方に突出したパッキン押えをそれぞれ有するパッキン係止具を用い、環状の前記パッキンを、該パッキン係止具の一対の差し込み片に、その係止爪を超えて挿通させ、
前記パッキンを挿通させた前記一対の差し込み片を弾性変形させて、該パッキン係止具を前記フレキシブル管の端部から嵌めて、弾性復元力によって前記係止爪がフレキシブル管の山部分に内周側から嵌り込んで係止した状態で、前記パッキン押えと前記フレキシブル管の端面との間でパッキンを挟持させることを特徴とするパッキン係止方法。
【請求項１２】
端部に袋ナットが装着されたフレキシブル管を、他の配管材と接続する際に使用するパッキンを、前記フレキシブル管に係止させるパッキン係止方法において、
一対の係止片と、前記一対の係止片の基端部間を連結する連結片とによって略Ｕ字状に形成され、前記一対の係止片は、その先端部に外方に突出したパッキン押えをそれぞれ有し、基端部には前記連結片とは反対側の外方に突出した係止爪をそれぞれ有するパッキン係止具を用い、環状の前記パッキンを、該パッキン係止具の連結片および一対の係止片に、前記係止爪を超えて挿通させ、
前記パッキンを挿通させた前記連結片および一対の係止片を弾性変形させて、該パッキン係止具を前記フレキシブル管の端部から嵌めて、弾性復元力によって前記係止爪がフレキシブル管の山部分に内周側から嵌り込んで係止した状態で、前記パッキン押えと前記フレキシブル管の端面との間でパッキンを挟持させることを特徴とするパッキン係止方法。
【請求項１３】
端部に袋ナットが装着されたフレキシブル管を、他の配管材と接続する際に使用するパッキンを、前記フレキシブル管に係止させるパッキン係止方法において、
相互に平行な一対の係止片と、前記一対の係止片の基端部間を連結する略Ｖ字状の連結片とを備え、前記一対の係止片は、その先端部に外方に突出したパッキン押えをそれぞれ有し、基端部には前記連結片とは反対側の外方に突出した係止爪をそれぞれ有するパッキン係止具を用い、環状の前記パッキンを、該パッキン係止具の連結片および一対の係止片に、前記係止爪を超えて挿通させ、
前記パッキンを挿通させた前記連結片を弾性変形させて、該パッキン係止具を前記フレキシブル管の端部から嵌めて、弾性復元力によって前記係止爪がフレキシブル管の山部分に内周側から嵌り込んで係止した状態で、前記パッキン押えと前記フレキシブル管の端面との間でパッキンを挟持させることを特徴とするパッキン係止方法。
【考案の詳細な説明】
【技術分野】
【０００１】
本考案は、フレキシブル管の接続に用いるパッキンを、前記フレキシブル管に附帯させる構造に関するものである。
【背景技術】
【０００２】
端部に袋ナットが装着されたフレキシブル管を、他の配管材と接続する際には、接続部における気密性を確実にするために、パッキンを挟んで前記袋ナットを閉め込むことが行われている。その接続作業の際に、パッキンを探さなくてよいように、前記フレキシブル管は、ビニタイや輪ゴムによって前記パッキンが附帯された状態で販売されている。
【０００３】
しかしながら、このようにビニタイや輪ゴムで係止するのは、作業者の手作業によるので、係止状態に作業者による個人差があり、係止が悪かったり、強すぎたり弱すぎたりして、バラツキがあるという問題があった。そのため、保管や輸送の途中にパッキンが脱落することがあり、管理上の問題があった。
【０００４】
一方、このように商品に付属品を附帯させるための構造として、たとえば特許文献１が提案されている。その従来技術によれば、商品であるスクリュー容器の外周に嵌合させて装着する円環板状の部分を備えるとともに、付属品を挿通係止する透孔を備えた付属品保持具を用い、スクリュー容器のスクリューの部分に該付属品保持具の円環板状の部分を嵌め込み、付属品を透孔に差し込むことで附帯させる構造である。
【０００５】
したがって、ワンタッチで安定した（作業者によるバラツキの無い）係止作業が可能となり、また取り外し作業も容易である。さらに、係止状態では、容器から付属品が容易に脱落することもない。
【先行技術文献】
【特許文献】
【０００６】
【特許文献１】特開２００４−３３１０９９号公報
【考案の概要】
【考案が解決しようとする課題】
【０００７】
特許文献１の従来技術は、合成樹脂板を打ち抜いて形成した付属品保持具を、容器に首掛けして係止するので、両端に袋ナットが装着されて太くなっているフレキシブル管に嵌め込んで使用する形態には採用できない。詳しくは、円環板状の部分の内径が、前記袋ナットの外径より小さい場合には、嵌め込むことができず、前記袋ナットの外径より大きい場合には、嵌め込むことは容易になるが、不用意に脱落するという問題がある。
【０００８】
本考案の目的は、両端に袋ナットが装着されて太くなっているフレキシブル管に、パッキンを係止させて附帯させることができるパッキン係止具、およびそれを用いるフレキシブル管、ならびにパッキン係止方法を提供することである。
【課題を解決するための手段】
【０００９】
本考案のパッキン係止具は、フレキシブル管の端部を他の配管材と気密状態で接続するために用いるパッキンを、前記フレキシブル管に係止させるためのパッキン係止具であって、弾性変形させられることによってフレキシブル管の一部に嵌め込まれ、弾性復元力を発揮することで前記フレキシブル管の一部に係止するように構成される弾性係止部と、前記弾性係止部に連続して形成され、少なくとも１枚のパッキンを保持し得るように構成されたパッキン保持部とを備えることを特徴とする。
【００１０】
上記の構成によれば、フレキシブル管にパッキンを係止させて附帯させるにあたって、弾性係止部とパッキン保持部とを備えるパッキン係止具を用いる。前記弾性係止部は、弾性変形させられることによってフレキシブル管の一部に嵌め込まれ、弾性復元力を発揮することで前記フレキシブル管の一部に係止するように構成される。前記パッキン保持部は、前記弾性係止部に連続して形成され、少なくとも１枚のパッキンを保持し得るように構成される。
【００１１】
したがって、作業者によるバラツキが少なく、容易に係止および取り外しを行うことができるとともに、脱落し難く、さらに両端に袋ナットが装着されて太くなっているフレキシブル管に嵌め込んで使用することができる。
【００１２】
また、本考案のパッキン係止具では、一対の湾曲片と、前記一対の湾曲片の基端部間を連結する連結片とによって、略Ｃ字状、もしくは、略Ｕ字状に形成され、前記一対の湾曲片は前記弾性係止部を構成し、対向面が前記フレキシブル管の谷の部分に外周から嵌り込んで係止し、前記連結片は、前記パッキン保持部を構成し、環状のパッキン内に挿通して該パッキンを保持することを特徴とする。
【００１３】
上記の構成によれば、パッキン係止具がフレキシブル管の谷の部分に外周から嵌り込むことで、パッキンを係止させることができる。
【００１４】
さらにまた、本考案のパッキン係止具は、一対の把持片と、前記一対の把持片の基端部間を連結する連結片とによって、略Ｕ字状、もしくは、略Ｊ字状に形成され、前記一対の把持片は前記弾性係止部を構成し、その先端部に内方に突出した係止爪をそれぞれ有し、前記フレキシブル管の端部に装着された袋ナットの内外周の両側から各把持片がそれぞれ挿入され、前記係止爪が前記フレキシブル管の凹凸または袋ナットの後端部に係止し、前記連結片は、前記パッキン保持部を構成し、環状のパッキン内に挿通して、前記袋ナットの前端側で該パッキンを保持することを特徴とする。
【００１５】
上記の構成によれば、パッキン係止具が袋ナットの内外両側から嵌り込むことで、パッキンを係止させることができる。
【００１６】
また、本考案のパッキン係止具は、一対の差し込み片と、前記一対の差し込み片の基端部間を連結する連結片とによって、略Ｕ字状に形成され、前記一対の差し込み片は、その先端部に外方に突出した係止爪をそれぞれ有し、基端部には前記連結片とは反対側の外方に突出したパッキン押えをそれぞれ有して前記弾性係止部およびパッキン保持部を構成し、前記パッキンは、前記フレキシブル管の端部に設けられる袋ナット内に収容され、前記一対の差し込み片は、その先端から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする。
【００１７】
上記の構成によれば、パッキンをフレキシブル管の端部に設けられる袋ナット内に収容した状態で、パッキン係止具によって係止させることができ、フレキシブル管の外周にぶら下げている場合に比べて、脱落や破損の可能性を小さくすることができる。
【００１８】
さらにまた、本考案のパッキン係止具は、一対の係止片と、前記一対の係止片の基端部間を連結する連結片とによって、略Ｕ字状に形成され、前記一対の係止片は、その先端部側に外方に突出したパッキン押えをそれぞれ有し、基端部には前記連結片とは反対側の外方に突出した係止爪をそれぞれ有して前記弾性係止部およびパッキン保持部を構成し、前記パッキンは前記フレキシブル管の端部に設けられる袋ナット内に収容され、前記一対の係止片は、その基端部から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする。
【００１９】
上記の構成によれば、パッキンをフレキシブル管の端部に設けられる袋ナット内に収容した状態で、パッキン係止具によって係止させることができ、フレキシブル管の外周にぶら下げている場合に比べて、脱落や破損の可能性を小さくすることができる。
【００２０】
また、本考案のパッキン係止具では、前記パッキン押えは、前記係止片の先端部から所定距離だけ後退した位置から外方に突出形成されることで、前記先端部との間で段部を構成し、前記一対の係止片の段部に工具を係止して相互に近接変位させることで、該係止片を撓ませ、パッキン保持部およびパッキンの取り外しを可能にすることを特徴とする。
【００２１】
上記の構成によれば、パッキン係止具が略Ｕ字状に形成され、連結片の側からフレキシブル管に挿入して係止を行うので、一対の係止片の先端側が折れ曲がってパッキン押えが形成されているだけでは、そこを掴んで該パッキン係止具を引き抜き難い。そこで、パッキン押えを係止片の先端部から１段下がった位置から突出するように形成して段部を形成しておく。
【００２２】
したがって、その段部に工具を係止して相互に近接変位させることで、係止片を撓ませ、パッキン係止具およびパッキンを容易に取り外すことができる。
【００２３】
さらにまた、本考案のパッキン係止具では、相互に平行な一対の係止片と、前記一対の係止片の基端部間を連結する略Ｖ字状の連結片とを備え、前記一対の係止片は、その先端部側に外方に突出したパッキン押えをそれぞれ有し、基端部には前記連結片とは反対側の外方に突出した係止爪をそれぞれ有して前記パッキン保持部を構成し、前記連結片は前記弾性係止部を構成し、前記パッキンは前記フレキシブル管の端部に設けられる袋ナット内に収容され、前記連結片および一対の係止片は、その基端部から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする。
【００２４】
上記の構成によれば、パッキンをフレキシブル管の端部に設けられる袋ナット内に収容した状態で、パッキン係止具によって係止させることができ、フレキシブル管の外周にぶら下げている場合に比べて、脱落や破損の可能性を小さくすることができる。また、このパッキン係止具では、略Ｖ字状の連結片が弾性変形し易く、パッキンの脱落を確実に防止しつつも、出荷作業者による附帯作業や、現場作業者による離脱作業を容易に行うことができるようになる。
【００２５】
また、本考案のフレキシブル管は、前記のパッキン係止具によって、少なくとも１枚のパッキンが係止されていることを特徴とする。
【００２６】
上記の構成によれば、上述のパッキン係止具を用いることで、両端に袋ナットが装着されて太くなっているフレキシブル管に、パッキンを附帯させることができる。
【００２７】
さらにまた、本考案のパッキン係止方法は、端部に袋ナットが装着されたフレキシブル管を、他の配管材と接続する際に使用するパッキンを、前記フレキシブル管に係止させるパッキン係止方法において、略Ｃ字状、もしくは、略Ｕ字状のパッキン係止具を用いて、環状の前記パッキンを該パッキン係止具に挿通させ、前記パッキンを挿通させた前記パッキン係止具を弾性変形させて、前記フレキシブル管の一部分に外側から嵌めて、弾性復元力によって前記フレキシブル管の一部を挟み込んだ状態で、前記パッキンを挿通させた状態の前記パッキン係止具を前記フレキシブル管に係止させることを特徴とする。
【００２８】
また、本考案のパッキン係止方法では、前記パッキン係止具として、一対の湾曲片と、前記一対の湾曲片の基端部間を連結する連結片とによって、前記略Ｃ字状、もしくは、略Ｕ字状に形成された弾性部材から成るパッキン係止具を用い、前記一対の湾曲片の対向面が、前記フレキシブル管の谷の部分に外周から嵌り込んで係止することを特徴とする。
【００２９】
さらにまた、本考案のパッキン係止方法は、端部に袋ナットが装着されたフレキシブル管を、他の配管材と接続する際に使用するパッキンを、前記フレキシブル管に係止させるパッキン係止方法において、一対の差し込み片と、前記一対の差し込み片の基端部間を連結する連結片とによって略Ｕ字状に形成され、前記一対の差し込み片は、その先端部に外方に突出した係止爪をそれぞれ有し、基端部には前記連結片とは反対側の外方に突出したパッキン押えをそれぞれ有するパッキン係止具を用い、環状の前記パッキンを、該パッキン係止具の一対の差し込み片に、その係止爪を超えて挿通させ、前記パッキンを挿通させた前記一対の差し込み片を弾性変形させて、該パッキン係止具を前記フレキシブル管の端部から嵌めて、弾性復元力によって前記係止爪がフレキシブル管の山部分に内周側から嵌り込んで係止した状態で、前記パッキン押えと前記フレキシブル管の端面との間でパッキンを挟持させることを特徴とする。
【００３０】
また、本考案のパッキン係止方法は、端部に袋ナットが装着されたフレキシブル管を、他の配管材と接続する際に使用するパッキンを、前記フレキシブル管に係止させるパッキン係止方法において、一対の係止片と、前記一対の係止片の基端部間を連結する連結片とによって略Ｕ字状に形成され、前記一対の係止片は、その先端部に外方に突出したパッキン押えをそれぞれ有し、基端部には前記連結片とは反対側の外方に突出した係止爪をそれぞれ有するパッキン係止具を用い、環状の前記パッキンを、該パッキン係止具の連結片および一対の係止片に、前記係止爪を超えて挿通させ、前記パッキンを挿通させた前記連結片および一対の係止片を弾性変形させて、該パッキン係止具を前記フレキシブル管の端部から嵌めて、弾性復元力によって前記係止爪がフレキシブル管の山部分に内周側から嵌り込んで係止した状態で、前記パッキン押えと前記フレキシブル管の端面との間でパッキンを挟持させることを特徴とする。
【００３１】
さらにまた、本考案のパッキン係止方法は、端部に袋ナットが装着されたフレキシブル管を、他の配管材と接続する際に使用するパッキンを、前記フレキシブル管に係止させるパッキン係止方法において、相互に平行な一対の係止片と、前記一対の係止片の基端部間を連結する略Ｖ字状の連結片とを備え、前記一対の係止片は、その先端部に外方に突出したパッキン押えをそれぞれ有し、基端部には前記連結片とは反対側の外方に突出した係止爪をそれぞれ有するパッキン係止具を用い、環状の前記パッキンを、該パッキン係止具の連結片および一対の係止片に、前記係止爪を超えて挿通させ、前記パッキンを挿通させた前記連結片を弾性変形させて、該パッキン係止具を前記フレキシブル管の端部から嵌めて、弾性復元力によって前記係止爪がフレキシブル管の山部分に内周側から嵌り込んで係止した状態で、前記パッキン押えと前記フレキシブル管の端面との間でパッキンを挟持させることを特徴とする。
【考案の効果】
【００３２】
本考案のパッキン係止具、およびそれを用いるフレキシブル管、ならびにパッキン係止方法は、以上のように、弾性変形させることによってフレキシブル管の一部に嵌め込み、弾性復元力によって前記フレキシブル管の一部に係止されるとともに、少なくとも１枚のパッキンを保持し得るように構成されたパッキン係止具を用いるので、作業者によるバラツキが少なく、容易に係止および取り外しを行うことができるとともに、脱落し難く、さらに両端に袋ナットが装着されて太くなっているフレキシブル管に嵌め込んで使用することができる。
【図面の簡単な説明】
【００３３】
【図１】本考案の第１の実施形態に係るパッキン係止具の使用状態を説明する斜視図である。
【図２】本考案の第１の実施形態に係るパッキン係止具の正面図である。
【図３】本考案の第２の実施形態に係るパッキン係止具の正面図である。
【図４】本考案の第３の実施形態に係るパッキン係止具の正面図である。
【図５】本考案の第３の実施形態に係るパッキン係止具の使用状態を説明する斜視図である。
【図６】本考案の第４の実施形態に係るパッキン係止具の使用状態を説明する断面図である。
【図７】本考案の第５の実施形態に係るパッキン係止具の使用状態を説明する断面図である。
【図８】本考案の第６の実施形態に係るパッキン係止具の六面図である。
【考案を実施するための形態】
【００３４】
（実施の形態１）
図１は、本考案の第１の実施形態に係るパッキン係止具３の使用状態を説明する斜視図である。本実施形態のパッキン係止具３は、フレキシブル管１に、該フレキシブル管１の端部１１を他の配管材と気密状態で接続するために用いられるパッキン２を、１または複数枚係止させて附帯させるために用いられる。前記フレキシブル管１の両方の端部１１には、袋ナット１２が挿通されて装着されている。この袋ナット１２は、図示しない他の配管材と接続する際に使用されるものであり、接続に際しては気密性を得るために、前記端部１１と前記他の配管材の端部との間に、前記パッキン２を挟んで前記袋ナット１２が締め付けられる。
【００３５】
図１の例では、２枚のパッキン２がフレキシブル管１の一方の端部１１に係止された例を示している。このように端部１１の一方にのみ、両方の端部用の２枚のパッキン２をパッキン係止具３で係止するようにしてもよいが、たとえば袋ナット１２の大きさが両方の端部で異なる場合などで、各端部にそれぞれ１枚のパッキン２を係止するようにしてもよく、或いは予備のパッキン２を係止するようにしてもよい。パッキン２は、たとえば、ゴム製、ノンアスベスト製、樹脂製のものを用いることができる。
【００３６】
図２は、前記パッキン係止具３の正面図である。このパッキン係止具３は、一対の湾曲片３１，３１と、一対の湾曲片３１，３１の基端部間を連結する連結片３２とによって、略Ｕ字状に形成される。パッキン係止具３は、図１や図２の例では、前記略Ｕ字状に形成されるが、連結片３２の形状によっては、略Ｃ字状に形成されてもよい。このパッキン係止具３は、弾性変形可能なように、ＰＰ樹脂、ＰＥ樹脂等の樹脂成形品などから形成されている。
【００３７】
そして、前記一対の湾曲片３１，３１は弾性係止部を構成し、弾性変形させられることによってフレキシブル管１の一部である谷の部分に嵌め込まれ、弾性復元力を発揮することで対向面が前記谷の部分に係止し、前記連結片３２は、前記パッキン保持部を構成し、環状のパッキン２内に挿通して該パッキンを保持する。そのため、前記一対の湾曲片３１，３１の最大の内寸は、前記フレキシブル管１の谷の部分の外径以下の寸法に設定されている。前記一対の湾曲片３１，３１の先端部分の内寸は、前記フレキシブル管１の谷の部分の外径未満の寸法に設定され、不用意には抜け落ちないように設定されている。前記湾曲片３１，３１の先端は、フレキシブル管１の側方から押し当てたときに拡がり易いように、導入用の丸み３３を形成するとよい。
【００３８】
このように形成されたパッキン係止具３を用いて、作業者は、環状のパッキン２を片方の湾曲片３１から連結片３２の部分に挿通させて引っ掛けた状態で、湾曲片３１，３１の先端（丸み３３）をフレキシブル管１の側面に押し当てることによって、一対の湾曲片３１，３１は前記先端（丸み３３）に案内されて弾性変形されて、フレキシブル管１の谷の部分に外側から嵌め込まれる。該一対の湾曲片３１，３１間にフレキシブル管１の谷の部分を挟み込んだ状態で、変形を解除することで、弾性復元力によって、係止させることができる。
【００３９】
こうして、パッキン係止具３を用いることで、両端部１１に袋ナット１２が装着されて太くなっているフレキシブル管１に、パッキン２を附帯させることができ、しかも作業者によるバラツキが少なく、容易に係止を行うことができる。また、フレキシブル管１に、パッキン係止具３およびパッキン２が係止状態であるか否か、すなわち出荷梱包作業時や、フレキシブル管１の設置作業現場において、附帯漏れが有るか否かが、ビニタイ等では確認し難いのに対して、本実施形態のパッキン係止具３を用いた場合、外部から、何枚附帯されているのか、までも容易に視認できるので、必要なパッキン２の附帯漏れを防止することもできる。
【００４０】
パッキン２の取り外しは、作業者が連結片３２の部分等を把持し、フレキシブル管１から引き離すと、フレキシブル管１を挟んでいた一対の湾曲片３１，３１は、弾性変形して、その先端（丸み３３）が拡がり、前記フレキシブル管１の側面から離脱する。その後、パッキン係止具３からパッキン２を引き抜き、袋ナット１２内に嵌め込んで、フレキシブル管１の端部１１を他の配管材と気密状態で接続することができる。こうして、パッキン２の取り外しを容易に行うことができるとともに、フレキシブル管１を挟んでいた一対の湾曲片３１，３１を弾性変形させる力を加えないかぎり、パッキン係止具３はフレキシブル管１から外れないので、保管中や輸送中も、該パッキン係止具３は、前記フレキシブル管１から容易に脱落することはない。
【００４１】
さらにまた、このパッキン係止具３は、従来のビニタイや輪ゴム等のように使い捨てではなく、資源ゴミとして再利用することが可能であるので、環境問題の観点からも優れている。
（実施の形態２）
図３は、本考案の第２の実施形態に係るパッキン係止具３Ａの正面図である。本実施形態のパッキン係止具３Ａも、上述のパッキン係止具３と同様に、フレキシブル管１の谷の部分に外側から嵌め込まれるものである。このパッキン係止具３Ａは、一対の湾曲片３１Ａ，３１Ａと、前記湾曲片３１Ａ，３１Ａの基端部間を連結する連結片３２Ａとを備えている。上述のパッキン係止具３では、湾曲片３１，３１の基端部から連結片３２の部分は略Ｕ字状に形成されているが、このパッキン係止具３では、湾曲片３１Ａ，３１Ａの基端部から連結片３２Ａの部分は略コ字状に形成されている。
【００４２】
そして、そのコ字の先端側が狭幅部３４Ａに形成されて、フレキシブル管１の外周面を抱え込む湾曲部分が連なっている。このように構成することで、そのコ字の部分でパッキン２の抜け止めを行うことができ、パッキン２を保持した（挿通した）パッキン係止具３Ａをフレキシブル管１に嵌め込む際に、パッキン２が湾曲部分までずれて来ず、作業性を向上することができる。
【００４３】
さらにまた、前記湾曲部３１Ａの外側には、厚さの薄い耳状の凸部３３Ａが形成されている。前記凸部３３Ａは、当該パッキン係止具３Ａを、フレキシブル管１に自動的に取り付けるように構成される自動取り付け機を使用する場合に、前記自動取り付け機で把持し易くするためのチャック部である。この凸部３３は、手作業で、フレキシブル管１からパッキン係止具３Ａを取り外す際に、つまみ易くするための把手としての機能も得られる。
（実施の形態３）
図４は本考案の第３の実施形態に係るパッキン係止具３Ｂの平面図であり、図５は使用状態を説明する斜視図である。本実施形態のパッキン係止具３Ｂは、一対の把持片３１Ｂ，３５Ｂと、前記一対の把持片３１Ｂ，３５Ｂの基端部間を連結する連結片３２Ｂとによって、略Ｕ字状、もしくは、略Ｊ字状（図４および図５の例では略Ｊ字状）に形成されている。前記一対の把持片３１Ｂ，３５Ｂは弾性係止部を構成し、その先端部に内方に突出した係止爪３６Ｂ，３７Ｂをそれぞれ有する。連結片３２Ｂは、パッキン保持部を構成する。
【００４４】
このように構成されるパッキン係止具３Ｂを用いて、作業者は、前記一対の把持片３１Ｂ，３５Ｂの内の一方から連結片３２Ｂの部分にパッキン２を挿通した状態で、フレキシブル管１の端部１１に装着された袋ナット１２の内外周の両側から各把持片３５Ｂ，３１Ｂをそれぞれ差し込む。これによって、たとえば内側の把持片３５Ｂの係止爪３７Ｂはフレキシブル管の山の部分の内周側に係止し、外側の把持片３１Ｂの係止爪３６Ｂは袋ナット１２の後端部に係止する。こうして、パッキン係止具３Ｂは、フレキシブル管１の軸方向に嵌め込まれ、袋ナット１２の内外両側から挟み込むことで、パッキン２を係止させることができる。
（実施の形態４）
図６は、本考案の第４の実施形態に係るパッキン係止具５の使用状態を説明する断面図である。図６は、該パッキン係止具５によって、パッキン２を袋ナット１２の部分に係止させた状態を、フレキシブル管１の軸線方向の断面で示している。このパッキン係止具５は、一対の差し込み片５１，５１と、前記一対の差し込み片５１，５１の基端部間を連結する連結片５２とによって、略Ｕ字状に形成される。そして、前記一対の差し込み片５１，５１は、その先端部に外方に突出した係止爪５３，５３をそれぞれ有し、基端部には連結片５２とは反対側の外方に突出したパッキン押え５４，５４をそれぞれ有する。一対の差し込み片５１，５１は、弾性係止部およびパッキン保持部を構成し、パッキン２は、上述のように、フレキシブル管１の端部１１に設けられる袋ナット１２内に収容される。
【００４５】
このように構成されるパッキン係止具５を用いて、パッキン２の係止時には、作業者は、環状のパッキン２を、該パッキン係止具５の一対の差し込み片５１，５１に、その係止爪５３，５３を超えて挿通させた後、フレキシブル管１の端部１１から押し込む。これによって、一対の差し込み片５１，５１が弾性変形しながら、係止爪５３，５３が前記フレキシブル管１の端部１１からフレキシブル管１の谷の部分を乗り越えてゆく。そして、パッキン押え５４，５４がパッキン２に接触するまでパッキン係止具５が挿入されると、弾性復元力によって前記係止爪５３，５３がフレキシブル管１の山部分に内周側から嵌り込んで係止する。こうして、前記パッキン押え５４，５４と、フレキシブル管１の端部１１の折り返された端面との間で、パッキン２を挟持させることができる。
【００４６】
このようなパッキン係止具５を用いることで、パッキン２を袋ナット１２内に収容した状態で係止させることができ、上述のパッキン係止具３，３Ａ，３Ｂのように、フレキシブル管１の外周にぶら下げている場合に比べて、脱落や破損の可能性を小さくすることができる。袋ナット１２をフレキシブル管１の管軸方向にずらすことで、袋ナット１２内に附帯されているパッキン２の正確な枚数を確認することができる。
（実施の形態５）
図７は、本考案の第５の実施形態に係るパッキン係止具６の使用状態を説明する断面図である。このパッキン係止具６は、上述の図６で示すパッキン係止具５に類似している。このパッキン係止具６は、一対の係止片６１，６１と、前記一対の係止片６１，６１の基端部間を連結する連結片６２とによって、略Ｕ字状に形成される。そして、前記一対の係止片６１，６１は、その先端部側に外方に突出したパッキン押え６４，６４をそれぞれ有し、基端部には前記連結片６２とは反対側の外方に突出した係止爪６３，６３をそれぞれ有する。一対の係止片６１，６１は弾性係止部およびパッキン保持部を構成するとともに、連結片６２は弾性係止部を構成し、パッキン２は、フレキシブル管１の端部１１に設けられる袋ナット１２内に収容される。
【００４７】
このように構成されるパッキン係止具６を用いて、パッキン２の係止時には、作業者は、環状のパッキン２を、該パッキン係止具６の一対の係止片６１，６１に、その係止爪６３，６３を超えて挿通させた後、フレキシブル管１の端部１１から押し込む。これによって、連結片６２および一対の係止片６１，６１が弾性変形しながら、係止爪６３，６３が前記フレキシブル管１の端部１１からフレキシブル管１の谷の部分を乗り越えてゆく。そして、パッキン押え６４，６４がパッキン２に接触するまでパッキン係止具６が挿入されると、弾性復元力によって前記係止爪６３，６３がフレキシブル管１の山部分に内周側から嵌り込んで係止する。こうして、前記パッキン押え６４，６４と、フレキシブル管１の端面との間で、パッキン２を挟持させることができる。このようなパッキン係止具６を用いてもまた、パッキン２を袋ナット１２内に収容した状態で係止させることができ、脱落の可能性を小さくすることができる。
【００４８】
また、このパッキン係止具６では、パッキン押え６４，６４は、係止片６１，６１の先端部から所定距離Ｄだけ後退した位置から外方に突出形成されており、前記先端部との間で段部６５，６５を構成している。これは、略Ｕ字状に形成されるこのパッキン係止具６は、連結片６２の側からフレキシブル管１に挿入されて係止を行うので、一対の係止片６１，６１の先端側が折れ曲がってパッキン押え６４，６４が形成されているだけでは、そこを掴んで該パッキン係止具６を引き抜き難いためである。
【００４９】
こうして、パッキン押え６４，６４を係止片６１，６１の先端部から１段下がった位置から突出するように形成して段部６５，６５を形成しておくことで、作業者は、その段部６５，６５に工具を係止して相互に近接変位させることで、係止片６１，６１を撓ませ、パッキン係止具６１およびパッキン２を容易に取り外すことができる。
（実施の形態６）
図８は、本考案の第６の実施形態に係るパッキン係止具６Ａの六面図である。このパッキン係止具６Ａは、上述の図６で示すパッキン係止具６に類似し、対応する部分には同一の参照符号を付して、その説明を省略する。本実施形態では、相互に平行な前記一対の係止片６１，６１の基端部間を連結する連結片６２Ａが、略Ｖ字状に形成されている。そして、前記一対の係止片６１，６１はパッキン保持部を構成し、連結片６２Ａは弾性係止部を構成する。
【００５０】
このように構成されるパッキン係止具６Ａを用いて、パッキン２の係止時には、作業者は、環状のパッキン２を、該パッキン係止具６Ａの連結片６２Ａおよび一対の係止片６１，６１に挿通させた後、該パッキン係止具６Ａをフレキシブル管１の端部１１から押し込む。これによって、連結片６２Ａが弾性変形しながら、係止爪６３，６３が前記フレキシブル管１の端部１１からフレキシブル管１の谷の部分を乗り越えてゆく。そして、パッキン押え６４，６４がパッキン２に接触するまでパッキン係止具６が挿入されると、弾性復元力によって前記係止爪６３，６３がフレキシブル管１の山部分に内周側から嵌り込んで係止する。こうして、前記パッキン押え６４，６４と、フレキシブル管１の端面との間で、パッキン２を挟持させることができる。このようなパッキン係止具６Ａを用いてもまた、パッキン２を袋ナット１２内に収容した状態で係止させることができ、脱落の可能性を小さくすることができる。
【００５１】
また、このパッキン係止具６Ａでは、略Ｖ字状の連結片６２Ａが弾性変形し易く、パッキン２の脱落を確実に防止しつつも、出荷作業者による附帯作業や、現場作業者による離脱作業を容易に行うことができるようになる。
【符号の説明】
【００５２】
１    フレキシブル管
１１    端部
１２    袋ナット
２    パッキン
３    パッキン係止具
３１    湾曲片
３２    連結片
３Ａ    パッキン係止具
３１Ａ  湾曲片
３２Ａ  連結片
３３Ａ  凸部
３Ｂ    パッキン係止具
３１Ｂ，３５Ｂ    把持片
３２Ｂ  連結片
３６Ｂ，３７Ｂ    係止爪
５    パッキン係止具
５１    差し込み片
５２    連結片
５３    係止爪
５４    パッキン押え
６，６Ａ    パッキン係止具
６１    係止片
６２，６２Ａ    連結片
６３    係止爪
６４    パッキン押え
６５    段部
【図１】
0003189950.tif 000003
【図２】
0003189950.tif 000004
【図３】
0003189950.tif 000005
【図４】
0003189950.tif 000006
【図５】
0003189950.tif 000007
【図６】
0003189950.tif 000008
【図７】
0003189950.tif 000009
【図８】
0003189950.tif 000010
【手続補正書】
【提出日】平成26年1月31日(2014.1.31)
【手続補正１】
【補正対象書類名】実用新案登録請求の範囲
【補正対象項目名】全文
【補正方法】変更
【補正の内容】
【実用新案登録請求の範囲】
【請求項１】
フレキシブル管の端部を他の配管材と気密状態で接続するために用いるパッキンを、前記フレキシブル管に係止させるためのパッキン係止具であって、
弾性変形させられることによってフレキシブル管の一部に嵌め込まれ、弾性復元力を発揮することで前記フレキシブル管の一部に係止するように構成される弾性係止部と、
前記弾性係止部に連続して形成され、少なくとも１枚のパッキンを保持し得るように構成されたパッキン保持部とを備えることを特徴とするパッキン係止具。
【請求項２】
一対の湾曲片と、前記一対の湾曲片の基端部間を連結する連結片とによって、略Ｃ字状、もしくは、略Ｕ字状に形成され、
前記一対の湾曲片は前記弾性係止部を構成し、対向面が前記フレキシブル管の谷の部分に外周から嵌り込んで係止し、
前記連結片は、前記パッキン保持部を構成し、環状のパッキン内に挿通して該パッキンを保持することを特徴とする請求項１記載のパッキン係止具。
【請求項３】
一対の把持片と、前記一対の把持片の基端部間を連結する連結片とによって、略Ｕ字状、もしくは、略Ｊ字状に形成され、
前記一対の把持片は前記弾性係止部を構成し、その先端部に内方に突出した係止爪をそれぞれ有し、前記フレキシブル管の端部に装着された袋ナットの内外周の両側から各把持片がそれぞれ挿入され、前記係止爪が前記フレキシブル管の凹凸または袋ナットの後端部に係止し、
前記連結片は、前記パッキン保持部を構成し、環状のパッキン内に挿通して、前記袋ナットの前端側で該パッキンを保持することを特徴とする請求項１記載のパッキン係止具。
【請求項４】
一対の差し込み片と、前記一対の差し込み片の基端部間を連結する連結片とによって、略Ｕ字状に形成され、
前記一対の差し込み片は、その先端部に外方に突出した係止爪をそれぞれ有し、基端部には前記連結片とは反対側の外方に突出したパッキン押えをそれぞれ有して前記弾性係止部およびパッキン保持部を構成し、
前記パッキンは、前記フレキシブル管の端部に設けられる袋ナット内に収容され、
前記一対の差し込み片は、その先端から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする請求項１記載のパッキン係止具。
【請求項５】
一対の係止片と、前記一対の係止片の基端部間を連結する連結片とによって、略Ｕ字状に形成され、
前記一対の係止片は、その先端部側に外方に突出したパッキン押えをそれぞれ有し、基端部には前記連結片とは反対側の外方に突出した係止爪をそれぞれ有して前記弾性係止部およびパッキン保持部を構成し、
前記パッキンは前記フレキシブル管の端部に設けられる袋ナット内に収容され、
前記一対の係止片は、その基端部から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする請求項１記載のパッキン係止具。
【請求項６】
前記パッキン押えは、前記一対の係止片の先端部から所定距離だけ後退した位置から外方に突出形成されることで、前記先端部との間で段部を構成し、
前記一対の係止片の段部に工具を係止して相互に近接変位させることで、該係止片を撓ませ、パッキン保持部およびパッキンの取り外しを可能にすることを特徴とする請求項５記載のパッキン係止具。
【請求項７】
相互に平行な一対の係止片と、前記一対の係止片の基端部間を連結する略Ｖ字状の連結片とを備え、
前記一対の係止片は、その先端部側に外方に突出したパッキン押えをそれぞれ有し、基端部には前記連結片とは反対側の外方に突出した係止爪をそれぞれ有して前記パッキン保持部を構成し、
前記連結片は前記弾性係止部を構成し、
前記パッキンは前記フレキシブル管の端部に設けられる袋ナット内に収容され、
前記連結片および一対の係止片は、その基端部から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする請求項１記載のパッキン係止具。
【請求項８】
前記請求項１〜７の何れか１項に記載のパッキン係止具によって、少なくとも１枚のパッキンが係止されていることを特徴とするフレキシブル管。
【手続補正２】
【補正対象書類名】明細書
【補正対象項目名】全文
【補正方法】変更
【補正の内容】
【考案の詳細な説明】
【技術分野】
【０００１】
本考案は、フレキシブル管の接続に用いるパッキンを、前記フレキシブル管に附帯させる構造に関するものである。
【背景技術】
【０００２】
端部に袋ナットが装着されたフレキシブル管を、他の配管材と接続する際には、接続部における気密性を確実にするために、パッキンを挟んで前記袋ナットを閉め込むことが行われている。その接続作業の際に、パッキンを探さなくてよいように、前記フレキシブル管は、ビニタイ（登録商標）や輪ゴムによって前記パッキンが附帯された状態で販売されている。
【０００３】
しかしながら、このように前記ビニタイ（登録商標）や輪ゴムで係止するのは、作業者の手作業によるので、係止状態に作業者による個人差があり、係止が悪かったり、強すぎたり弱すぎたりして、バラツキがあるという問題があった。そのため、保管や輸送の途中にパッキンが脱落することがあり、管理上の問題があった。
【０００４】
一方、このように商品に付属品を附帯させるための構造として、たとえば特許文献１が提案されている。その従来技術によれば、商品であるスクリュー容器の外周に嵌合させて装着する円環板状の部分を備えるとともに、付属品を挿通係止する透孔を備えた付属品保持具を用い、スクリュー容器のスクリューの部分に該付属品保持具の円環板状の部分を嵌め込み、付属品を透孔に差し込むことで附帯させる構造である。
【０００５】
したがって、ワンタッチで安定した（作業者によるバラツキの無い）係止作業が可能となり、また取り外し作業も容易である。さらに、係止状態では、容器から付属品が容易に脱落することもない。
【先行技術文献】
【特許文献】
【０００６】
【特許文献１】特開２００４−３３１０９９号公報
【考案の概要】
【考案が解決しようとする課題】
【０００７】
特許文献１の従来技術は、合成樹脂板を打ち抜いて形成した付属品保持具を、容器に首掛けして係止するので、両端に袋ナットが装着されて太くなっているフレキシブル管に嵌め込んで使用する形態には採用できない。詳しくは、円環板状の部分の内径が、前記袋ナットの外径より小さい場合には、嵌め込むことができず、前記袋ナットの外径より大きい場合には、嵌め込むことは容易になるが、不用意に脱落するという問題がある。
【０００８】
本考案の目的は、両端に袋ナットが装着されて太くなっているフレキシブル管に、パッキンを係止させて附帯させることができるパッキン係止具、およびそれを用いるフレキシブル管を提供することである。
【課題を解決するための手段】
【０００９】
本考案のパッキン係止具は、フレキシブル管の端部を他の配管材と気密状態で接続するために用いるパッキンを、前記フレキシブル管に係止させるためのパッキン係止具であって、弾性変形させられることによってフレキシブル管の一部に嵌め込まれ、弾性復元力を発揮することで前記フレキシブル管の一部に係止するように構成される弾性係止部と、前記弾性係止部に連続して形成され、少なくとも１枚のパッキンを保持し得るように構成されたパッキン保持部とを備えることを特徴とする。
【００１０】
上記の構成によれば、フレキシブル管にパッキンを係止させて附帯させるにあたって、弾性係止部とパッキン保持部とを備えるパッキン係止具を用いる。前記弾性係止部は、弾性変形させられることによってフレキシブル管の一部に嵌め込まれ、弾性復元力を発揮することで前記フレキシブル管の一部に係止するように構成される。前記パッキン保持部は、前記弾性係止部に連続して形成され、少なくとも１枚のパッキンを保持し得るように構成される。
【００１１】
したがって、作業者によるバラツキが少なく、容易に係止および取り外しを行うことができるとともに、脱落し難く、さらに両端に袋ナットが装着されて太くなっているフレキシブル管に嵌め込んで使用することができる。
【００１２】
また、本考案のパッキン係止具では、一対の湾曲片と、前記一対の湾曲片の基端部間を連結する連結片とによって、略Ｃ字状、もしくは、略Ｕ字状に形成され、前記一対の湾曲片は前記弾性係止部を構成し、対向面が前記フレキシブル管の谷の部分に外周から嵌り込んで係止し、前記連結片は、前記パッキン保持部を構成し、環状のパッキン内に挿通して該パッキンを保持することを特徴とする。
【００１３】
上記の構成によれば、パッキン係止具がフレキシブル管の谷の部分に外周から嵌り込むことで、パッキンを係止させることができる。
【００１４】
さらにまた、本考案のパッキン係止具は、一対の把持片と、前記一対の把持片の基端部間を連結する連結片とによって、略Ｕ字状、もしくは、略Ｊ字状に形成され、前記一対の把持片は前記弾性係止部を構成し、その先端部に内方に突出した係止爪をそれぞれ有し、前記フレキシブル管の端部に装着された袋ナットの内外周の両側から各把持片がそれぞれ挿入され、前記係止爪が前記フレキシブル管の凹凸または袋ナットの後端部に係止し、前記連結片は、前記パッキン保持部を構成し、環状のパッキン内に挿通して、前記袋ナットの前端側で該パッキンを保持することを特徴とする。
【００１５】
上記の構成によれば、パッキン係止具が袋ナットの内外両側から嵌り込むことで、パッキンを係止させることができる。
【００１６】
また、本考案のパッキン係止具は、一対の差し込み片と、前記一対の差し込み片の基端部間を連結する連結片とによって、略Ｕ字状に形成され、前記一対の差し込み片は、その先端部に外方に突出した係止爪をそれぞれ有し、基端部には前記連結片とは反対側の外方に突出したパッキン押えをそれぞれ有して前記弾性係止部およびパッキン保持部を構成し、前記パッキンは、前記フレキシブル管の端部に設けられる袋ナット内に収容され、前記一対の差し込み片は、その先端から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする。
【００１７】
上記の構成によれば、パッキンをフレキシブル管の端部に設けられる袋ナット内に収容した状態で、パッキン係止具によって係止させることができ、フレキシブル管の外周にぶら下げている場合に比べて、脱落や破損の可能性を小さくすることができる。
【００１８】
さらにまた、本考案のパッキン係止具は、一対の係止片と、前記一対の係止片の基端部間を連結する連結片とによって、略Ｕ字状に形成され、前記一対の係止片は、その先端部側に外方に突出したパッキン押えをそれぞれ有し、基端部には前記連結片とは反対側の外方に突出した係止爪をそれぞれ有して前記弾性係止部およびパッキン保持部を構成し、前記パッキンは前記フレキシブル管の端部に設けられる袋ナット内に収容され、前記一対の係止片は、その基端部から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする。
【００１９】
上記の構成によれば、パッキンをフレキシブル管の端部に設けられる袋ナット内に収容した状態で、パッキン係止具によって係止させることができ、フレキシブル管の外周にぶら下げている場合に比べて、脱落や破損の可能性を小さくすることができる。
【００２０】
また、本考案のパッキン係止具では、前記パッキン押えは、前記係止片の先端部から所定距離だけ後退した位置から外方に突出形成されることで、前記先端部との間で段部を構成し、前記一対の係止片の段部に工具を係止して相互に近接変位させることで、該係止片を撓ませ、パッキン保持部およびパッキンの取り外しを可能にすることを特徴とする。
【００２１】
上記の構成によれば、パッキン係止具が略Ｕ字状に形成され、連結片の側からフレキシブル管に挿入して係止を行うので、一対の係止片の先端側が折れ曲がってパッキン押えが形成されているだけでは、そこを掴んで該パッキン係止具を引き抜き難い。そこで、パッキン押えを係止片の先端部から１段下がった位置から突出するように形成して段部を形成しておく。
【００２２】
したがって、その段部に工具を係止して相互に近接変位させることで、係止片を撓ませ、パッキン係止具およびパッキンを容易に取り外すことができる。
【００２３】
さらにまた、本考案のパッキン係止具では、相互に平行な一対の係止片と、前記一対の係止片の基端部間を連結する略Ｖ字状の連結片とを備え、前記一対の係止片は、その先端部側に外方に突出したパッキン押えをそれぞれ有し、基端部には前記連結片とは反対側の外方に突出した係止爪をそれぞれ有して前記パッキン保持部を構成し、前記連結片は前記弾性係止部を構成し、前記パッキンは前記フレキシブル管の端部に設けられる袋ナット内に収容され、前記連結片および一対の係止片は、その基端部から環状のパッキン内を挿通した状態で、前記係止爪がフレキシブル管の山部分に内周側から嵌り込んで係止することで、前記パッキン押えと前記フレキシブル管の端面との間でパッキンを挟持することを特徴とする。
【００２４】
上記の構成によれば、パッキンをフレキシブル管の端部に設けられる袋ナット内に収容した状態で、パッキン係止具によって係止させることができ、フレキシブル管の外周にぶら下げている場合に比べて、脱落や破損の可能性を小さくすることができる。また、このパッキン係止具では、略Ｖ字状の連結片が弾性変形し易く、パッキンの脱落を確実に防止しつつも、出荷作業者による附帯作業や、現場作業者による離脱作業を容易に行うことができるようになる。
【００２５】
また、本考案のフレキシブル管は、前記のパッキン係止具によって、少なくとも１枚のパッキンが係止されていることを特徴とする。
【００２６】
上記の構成によれば、上述のパッキン係止具を用いることで、両端に袋ナットが装着されて太くなっているフレキシブル管に、パッキンを附帯させることができる。
【考案の効果】
【００２７】
本考案のパッキン係止具、およびそれを用いるフレキシブル管は、以上のように、弾性変形させることによってフレキシブル管の一部に嵌め込み、弾性復元力によって前記フレキシブル管の一部に係止されるとともに、少なくとも１枚のパッキンを保持し得るように構成されたパッキン係止具を用いるので、作業者によるバラツキが少なく、容易に係止および取り外しを行うことができるとともに、脱落し難く、さらに両端に袋ナットが装着されて太くなっているフレキシブル管に嵌め込んで使用することができる。
【図面の簡単な説明】
【００２８】
【図１】本考案の第１の実施形態に係るパッキン係止具の使用状態を説明する斜視図である。
【図２】本考案の第１の実施形態に係るパッキン係止具の正面図である。
【図３】本考案の第２の実施形態に係るパッキン係止具の正面図である。
【図４】本考案の第３の実施形態に係るパッキン係止具の正面図である。
【図５】本考案の第３の実施形態に係るパッキン係止具の使用状態を説明する斜視図である。
【図６】本考案の第４の実施形態に係るパッキン係止具の使用状態を説明する断面図である。
【図７】本考案の第５の実施形態に係るパッキン係止具の使用状態を説明する断面図である。
【図８】本考案の第６の実施形態に係るパッキン係止具の六面図である。
【考案を実施するための形態】
【００２９】
（実施の形態１）
図１は、本考案の第１の実施形態に係るパッキン係止具３の使用状態を説明する斜視図である。本実施形態のパッキン係止具３は、フレキシブル管１に、該フレキシブル管１の端部１１を他の配管材と気密状態で接続するために用いられるパッキン２を、１または複数枚係止させて附帯させるために用いられる。前記フレキシブル管１の両方の端部１１には、袋ナット１２が挿通されて装着されている。この袋ナット１２は、図示しない他の配管材と接続する際に使用されるものであり、接続に際しては気密性を得るために、前記端部１１と前記他の配管材の端部との間に、前記パッキン２を挟んで前記袋ナット１２が締め付けられる。
【００３０】
図１の例では、２枚のパッキン２がフレキシブル管１の一方の端部１１に係止された例を示している。このように端部１１の一方にのみ、両方の端部用の２枚のパッキン２をパッキン係止具３で係止するようにしてもよいが、たとえば袋ナット１２の大きさが両方の端部で異なる場合などで、各端部にそれぞれ１枚のパッキン２を係止するようにしてもよく、或いは予備のパッキン２を係止するようにしてもよい。パッキン２は、たとえば、ゴム製、ノンアスベスト製、樹脂製のものを用いることができる。
【００３１】
図２は、前記パッキン係止具３の正面図である。このパッキン係止具３は、一対の湾曲片３１，３１と、一対の湾曲片３１，３１の基端部間を連結する連結片３２とによって、略Ｕ字状に形成される。パッキン係止具３は、図１や図２の例では、前記略Ｕ字状に形成されるが、連結片３２の形状によっては、略Ｃ字状に形成されてもよい。このパッキン係止具３は、弾性変形可能なように、ＰＰ樹脂、ＰＥ樹脂等の樹脂成形品などから形成されている。
【００３２】
そして、前記一対の湾曲片３１，３１は弾性係止部を構成し、弾性変形させられることによってフレキシブル管１の一部である谷の部分に嵌め込まれ、弾性復元力を発揮することで対向面が前記谷の部分に係止し、前記連結片３２は、前記パッキン保持部を構成し、環状のパッキン２内に挿通して該パッキンを保持する。そのため、前記一対の湾曲片３１，３１の最大の内寸は、前記フレキシブル管１の谷の部分の外径以下の寸法に設定されている。前記一対の湾曲片３１，３１の先端部分の内寸は、前記フレキシブル管１の谷の部分の外径未満の寸法に設定され、不用意には抜け落ちないように設定されている。前記湾曲片３１，３１の先端は、フレキシブル管１の側方から押し当てたときに拡がり易いように、導入用の丸み３３を形成するとよい。
【００３３】
このように形成されたパッキン係止具３を用いて、作業者は、環状のパッキン２を片方の湾曲片３１から連結片３２の部分に挿通させて引っ掛けた状態で、湾曲片３１，３１の先端（丸み３３）をフレキシブル管１の側面に押し当てることによって、一対の湾曲片３１，３１は前記先端（丸み３３）に案内されて弾性変形されて、フレキシブル管１の谷の部分に外側から嵌め込まれる。該一対の湾曲片３１，３１間にフレキシブル管１の谷の部分を挟み込んだ状態で、変形を解除することで、弾性復元力によって、係止させることができる。
【００３４】
こうして、パッキン係止具３を用いることで、両端部１１に袋ナット１２が装着されて太くなっているフレキシブル管１に、パッキン２を附帯させることができ、しかも作業者によるバラツキが少なく、容易に係止を行うことができる。また、フレキシブル管１に、パッキン係止具３およびパッキン２が係止状態であるか否か、すなわち出荷梱包作業時や、フレキシブル管１の設置作業現場において、附帯漏れが有るか否かが、前記ビニタイ（登録商標）等では確認し難いのに対して、本実施形態のパッキン係止具３を用いた場合、外部から、何枚附帯されているのか、までも容易に視認できるので、必要なパッキン２の附帯漏れを防止することもできる。
【００３５】
パッキン２の取り外しは、作業者が連結片３２の部分等を把持し、フレキシブル管１から引き離すと、フレキシブル管１を挟んでいた一対の湾曲片３１，３１は、弾性変形して、その先端（丸み３３）が拡がり、前記フレキシブル管１の側面から離脱する。その後、パッキン係止具３からパッキン２を引き抜き、袋ナット１２内に嵌め込んで、フレキシブル管１の端部１１を他の配管材と気密状態で接続することができる。こうして、パッキン２の取り外しを容易に行うことができるとともに、フレキシブル管１を挟んでいた一対の湾曲片３１，３１を弾性変形させる力を加えないかぎり、パッキン係止具３はフレキシブル管１から外れないので、保管中や輸送中も、該パッキン係止具３は、前記フレキシブル管１から容易に脱落することはない。
【００３６】
さらにまた、このパッキン係止具３は、従来のビニタイ（登録商標）や輪ゴム等のように使い捨てではなく、資源ゴミとして再利用することが可能であるので、環境問題の観点からも優れている。
（実施の形態２）
図３は、本考案の第２の実施形態に係るパッキン係止具３Ａの正面図である。本実施形態のパッキン係止具３Ａも、上述のパッキン係止具３と同様に、フレキシブル管１の谷の部分に外側から嵌め込まれるものである。このパッキン係止具３Ａは、一対の湾曲片３１Ａ，３１Ａと、前記湾曲片３１Ａ，３１Ａの基端部間を連結する連結片３２Ａとを備えている。上述のパッキン係止具３では、湾曲片３１，３１の基端部から連結片３２の部分は略Ｕ字状に形成されているが、このパッキン係止具３では、湾曲片３１Ａ，３１Ａの基端部から連結片３２Ａの部分は略コ字状に形成されている。
【００３７】
そして、そのコ字の先端側が狭幅部３４Ａに形成されて、フレキシブル管１の外周面を抱え込む湾曲部分が連なっている。このように構成することで、そのコ字の部分でパッキン２の抜け止めを行うことができ、パッキン２を保持した（挿通した）パッキン係止具３Ａをフレキシブル管１に嵌め込む際に、パッキン２が湾曲部分までずれて来ず、作業性を向上することができる。
【００３８】
さらにまた、前記湾曲部３１Ａの外側には、厚さの薄い耳状の凸部３３Ａが形成されている。前記凸部３３Ａは、当該パッキン係止具３Ａを、フレキシブル管１に自動的に取り付けるように構成される自動取り付け機を使用する場合に、前記自動取り付け機で把持し易くするためのチャック部である。この凸部３３は、手作業で、フレキシブル管１からパッキン係止具３Ａを取り外す際に、つまみ易くするための把手としての機能も得られる。
（実施の形態３）
図４は本考案の第３の実施形態に係るパッキン係止具３Ｂの平面図であり、図５は使用状態を説明する斜視図である。本実施形態のパッキン係止具３Ｂは、一対の把持片３１Ｂ，３５Ｂと、前記一対の把持片３１Ｂ，３５Ｂの基端部間を連結する連結片３２Ｂとによって、略Ｕ字状、もしくは、略Ｊ字状（図４および図５の例では略Ｊ字状）に形成されている。前記一対の把持片３１Ｂ，３５Ｂは弾性係止部を構成し、その先端部に内方に突出した係止爪３６Ｂ，３７Ｂをそれぞれ有する。連結片３２Ｂは、パッキン保持部を構成する。
【００３９】
このように構成されるパッキン係止具３Ｂを用いて、作業者は、前記一対の把持片３１Ｂ，３５Ｂの内の一方から連結片３２Ｂの部分にパッキン２を挿通した状態で、フレキシブル管１の端部１１に装着された袋ナット１２の内外周の両側から各把持片３５Ｂ，３１Ｂをそれぞれ差し込む。これによって、たとえば内側の把持片３５Ｂの係止爪３７Ｂはフレキシブル管の山の部分の内周側に係止し、外側の把持片３１Ｂの係止爪３６Ｂは袋ナット１２の後端部に係止する。こうして、パッキン係止具３Ｂは、フレキシブル管１の軸方向に嵌め込まれ、袋ナット１２の内外両側から挟み込むことで、パッキン２を係止させることができる。
（実施の形態４）
図６は、本考案の第４の実施形態に係るパッキン係止具５の使用状態を説明する断面図である。図６は、該パッキン係止具５によって、パッキン２を袋ナット１２の部分に係止させた状態を、フレキシブル管１の軸線方向の断面で示している。このパッキン係止具５は、一対の差し込み片５１，５１と、前記一対の差し込み片５１，５１の基端部間を連結する連結片５２とによって、略Ｕ字状に形成される。そして、前記一対の差し込み片５１，５１は、その先端部に外方に突出した係止爪５３，５３をそれぞれ有し、基端部には連結片５２とは反対側の外方に突出したパッキン押え５４，５４をそれぞれ有する。一対の差し込み片５１，５１は、弾性係止部およびパッキン保持部を構成し、パッキン２は、上述のように、フレキシブル管１の端部１１に設けられる袋ナット１２内に収容される。
【００４０】
このように構成されるパッキン係止具５を用いて、パッキン２の係止時には、作業者は、環状のパッキン２を、該パッキン係止具５の一対の差し込み片５１，５１に、その係止爪５３，５３を超えて挿通させた後、フレキシブル管１の端部１１から押し込む。これによって、一対の差し込み片５１，５１が弾性変形しながら、係止爪５３，５３が前記フレキシブル管１の端部１１からフレキシブル管１の谷の部分を乗り越えてゆく。そして、パッキン押え５４，５４がパッキン２に接触するまでパッキン係止具５が挿入されると、弾性復元力によって前記係止爪５３，５３がフレキシブル管１の山部分に内周側から嵌り込んで係止する。こうして、前記パッキン押え５４，５４と、フレキシブル管１の端部１１の折り返された端面との間で、パッキン２を挟持させることができる。
【００４１】
このようなパッキン係止具５を用いることで、パッキン２を袋ナット１２内に収容した状態で係止させることができ、上述のパッキン係止具３，３Ａ，３Ｂのように、フレキシブル管１の外周にぶら下げている場合に比べて、脱落や破損の可能性を小さくすることができる。袋ナット１２をフレキシブル管１の管軸方向にずらすことで、袋ナット１２内に附帯されているパッキン２の正確な枚数を確認することができる。
（実施の形態５）
図７は、本考案の第５の実施形態に係るパッキン係止具６の使用状態を説明する断面図である。このパッキン係止具６は、上述の図６で示すパッキン係止具５に類似している。このパッキン係止具６は、一対の係止片６１，６１と、前記一対の係止片６１，６１の基端部間を連結する連結片６２とによって、略Ｕ字状に形成される。そして、前記一対の係止片６１，６１は、その先端部側に外方に突出したパッキン押え６４，６４をそれぞれ有し、基端部には前記連結片６２とは反対側の外方に突出した係止爪６３，６３をそれぞれ有する。一対の係止片６１，６１は弾性係止部およびパッキン保持部を構成するとともに、連結片６２は弾性係止部を構成し、パッキン２は、フレキシブル管１の端部１１に設けられる袋ナット１２内に収容される。
【００４２】
このように構成されるパッキン係止具６を用いて、パッキン２の係止時には、作業者は、環状のパッキン２を、該パッキン係止具６の一対の係止片６１，６１に、その係止爪６３，６３を超えて挿通させた後、フレキシブル管１の端部１１から押し込む。これによって、連結片６２および一対の係止片６１，６１が弾性変形しながら、係止爪６３，６３が前記フレキシブル管１の端部１１からフレキシブル管１の谷の部分を乗り越えてゆく。そして、パッキン押え６４，６４がパッキン２に接触するまでパッキン係止具６が挿入されると、弾性復元力によって前記係止爪６３，６３がフレキシブル管１の山部分に内周側から嵌り込んで係止する。こうして、前記パッキン押え６４，６４と、フレキシブル管１の端面との間で、パッキン２を挟持させることができる。このようなパッキン係止具６を用いてもまた、パッキン２を袋ナット１２内に収容した状態で係止させることができ、脱落の可能性を小さくすることができる。
【００４３】
また、このパッキン係止具６では、パッキン押え６４，６４は、係止片６１，６１の先端部から所定距離Ｄだけ後退した位置から外方に突出形成されており、前記先端部との間で段部６５，６５を構成している。これは、略Ｕ字状に形成されるこのパッキン係止具６は、連結片６２の側からフレキシブル管１に挿入されて係止を行うので、一対の係止片６１，６１の先端側が折れ曲がってパッキン押え６４，６４が形成されているだけでは、そこを掴んで該パッキン係止具６を引き抜き難いためである。
【００４４】
こうして、パッキン押え６４，６４を係止片６１，６１の先端部から１段下がった位置から突出するように形成して段部６５，６５を形成しておくことで、作業者は、その段部６５，６５に工具を係止して相互に近接変位させることで、係止片６１，６１を撓ませ、パッキン係止具６１およびパッキン２を容易に取り外すことができる。
（実施の形態６）
図８は、本考案の第６の実施形態に係るパッキン係止具６Ａの六面図である。このパッキン係止具６Ａは、上述の図６で示すパッキン係止具６に類似し、対応する部分には同一の参照符号を付して、その説明を省略する。本実施形態では、相互に平行な前記一対の係止片６１，６１の基端部間を連結する連結片６２Ａが、略Ｖ字状に形成されている。そして、前記一対の係止片６１，６１はパッキン保持部を構成し、連結片６２Ａは弾性係止部を構成する。
【００４５】
このように構成されるパッキン係止具６Ａを用いて、パッキン２の係止時には、作業者は、環状のパッキン２を、該パッキン係止具６Ａの連結片６２Ａおよび一対の係止片６１，６１に挿通させた後、該パッキン係止具６Ａをフレキシブル管１の端部１１から押し込む。これによって、連結片６２Ａが弾性変形しながら、係止爪６３，６３が前記フレキシブル管１の端部１１からフレキシブル管１の谷の部分を乗り越えてゆく。そして、パッキン押え６４，６４がパッキン２に接触するまでパッキン係止具６が挿入されると、弾性復元力によって前記係止爪６３，６３がフレキシブル管１の山部分に内周側から嵌り込んで係止する。こうして、前記パッキン押え６４，６４と、フレキシブル管１の端面との間で、パッキン２を挟持させることができる。このようなパッキン係止具６Ａを用いてもまた、パッキン２を袋ナット１２内に収容した状態で係止させることができ、脱落の可能性を小さくすることができる。
【００４６】
また、このパッキン係止具６Ａでは、略Ｖ字状の連結片６２Ａが弾性変形し易く、パッキン２の脱落を確実に防止しつつも、出荷作業者による附帯作業や、現場作業者による離脱作業を容易に行うことができるようになる。
【符号の説明】
【００４７】
１    フレキシブル管
１１    端部
１２    袋ナット
２    パッキン
３    パッキン係止具
３１    湾曲片
３２    連結片
３Ａ    パッキン係止具
３１Ａ  湾曲片
３２Ａ  連結片
３３Ａ  凸部
３Ｂ    パッキン係止具
３１Ｂ，３５Ｂ    把持片
３２Ｂ  連結片
３６Ｂ，３７Ｂ    係止爪
５    パッキン係止具
５１    差し込み片
５２    連結片
５３    係止爪
５４    パッキン押え
６，６Ａ    パッキン係止具
６１    係止片
６２，６２Ａ    連結片
６３    係止爪
６４    パッキン押え
６５    段部